(57)【要約】【課題】排水性能を低下させることなく、下枠の上面をフラットに形成してメンテナンス性を向上させる。【解決手段】  建物開口部に配置される枠体と、枠体内において開閉自在に配置される障子を備え、枠体は、上面が略フラットに形成された下枠を有し、障子を構成する下框の室外側端と下枠との間に気密ラインが形成されており、下枠は、気密ラインよりも室内側の領域における下枠上面に排水孔を有する第１の排水経路と、気密ラインよりも室外側の領域における下枠上面に排水孔を有する第２の排水経路を有し、第１の排水経路には、逆止弁を備える。【選択図】図７
2019035236.tif 000002
【特許請求の範囲】
【請求項１】
建物開口部に配置される枠体と、枠体内において開閉自在に配置される障子を備え、
枠体は、上面が略フラットに形成された下枠を有し、障子を構成する下框の室外側端と下枠との間に気密ラインが形成されており、
下枠は、気密ラインよりも室内側の領域における下枠上面に排水孔を有する第１の排水経路と、気密ラインよりも室外側の領域における下枠上面に排水孔を有する第２の排水経路を有し、
第１の排水経路には、逆止弁を備える
ことを特徴とするサッシ。
【発明の詳細な説明】
【技術分野】
【０００１】
本発明は、建物開口部に配置されるサッシに関する。
【背景技術】
【０００２】
建物開口部に配置されるサッシとして、例えば、室外側の障子が上下に上げ下げして開閉される上げ下げ窓が公知となっている。（特許文献１）。
【先行技術文献】
【特許文献】
【０００３】
【特許文献１】特開２０１４−７０４０３号公報
【発明の概要】
【発明が解決しようとする課題】
【０００４】
上記特許文献１の建具は、下枠の上面にタイト材を取り付ける部分等が設けられるなど、下枠の形状が複雑で掃除がしづらく、メンテナンス性が悪かった。
【０００５】
本発明は、上記の事情を鑑み、排水性能を低下させることなく、下枠の上面をフラットに形成してメンテナンス性を向上させることを目的とする。
【課題を解決するための手段】
【０００６】
本発明の一つの実施形態は、建物開口部に配置される枠体と、枠体内において開閉自在に配置される障子を備え、枠体は、上面が略フラットに形成された下枠を有し、障子を構成する下框の室外側端と下枠との間に気密ラインが形成されており、下枠は、気密ラインよりも室内側の領域における下枠上面に排水孔を有する第１の排水経路と、気密ラインよりも室外側の領域における下枠上面に排水孔を有する第２の排水経路を有し、第１の排水経路には、逆止弁を備えるサッシである。
【発明の効果】
【０００７】
本発明によれば、下枠の上面をフラットに形成してメンテナンス性を向上させることができ、また、良好な排水性能を確保することができる。
【図面の簡単な説明】
【０００８】
【図１】本発明の実施形態に係る上げ下げ窓の内観図である。
【図２】本発明の実施形態に係る上げ下げ窓の縦断面図である。
【図３】本発明の実施形態に係る上げ下げ窓の横断面図である。
【図４】本発明の実施形態に係る上げ下げ窓の下枠の金属下枠の部分を拡大した縦断面図である。
【図５】本発明の実施形態に係る上げ下げ窓の下枠の室外側のカバー部材の図であり、（ａ）は断面図、（ｂ）は平面図、（ｃ）は室内側から見た正面図である。
【図６】本発明の実施形態に係る上げ下げ窓の下枠の室内側のカバー部材の図であり、（ａ）は断面図、（ｂ）は平面図、（ｃ）は室内側から見た正面図である。
【図７】本発明の実施形態に係る上げ下げ窓の下枠の部分を拡大した縦断面図である。
【発明を実施するための形態】
【０００９】
本発明の実施形態の上げ下げ窓について、図面を参考にして説明する。
（全体の構成）
本発明の実施形態の上げ下げ窓は、図１に示すように、上枠１１、下枠１２及び左、右縦枠１３，１４により形成され、建物開口部に固定される枠体１と、枠体１の見込み方向室外側に配置され、戸先框３１、召合せ框３２（図示なし）、及び左、右縦框３３，３４を四周に組んでその内周にガラス等のパネルが嵌め込まれてなる外障子３と、枠体１の見込み方向室内側に配置され、召合せ框２１、戸先框２２、及び左、右縦框２３，２４を四周に組んでその内周にガラス等のパネルが嵌め込まれてなる内障子２を備えている。
本実施形態の上げ下げ窓は、外障子３は、枠体１の上方位置において固定されており、内障子２が上下方向に移動することで、窓を開閉することができる。
【００１０】
（枠体の構成）
上枠１１は、アルミ合金等の金属材料からなる金属上枠１１１と、金属上枠１１１の室内側内周面に配置される樹脂材料からなる樹脂上枠１１２を備えている。
【００１１】
金属上枠１１１は、図２に示すように、建物開口部の内周面に沿って配置される上枠本体部１１１ａと、上枠本体部１１１ａの室内側端に連設される室内見付け部１１１ｂと、上枠本体部１１１ａの室外側端より垂設される室外壁部１１１ｃとを有している。そして、室内見付け部１１１ｂの下端と上枠本体部１１１ａの見込み方向略中央位置の内周面に、樹脂上枠１１２が係合される被係合部が形成されている。
【００１２】
樹脂上枠１１２は、見付け方向、すなわち下方に向かって複数の中空部が積層されて形成されてなる樹脂上枠本体部１１２ａと、樹脂上枠本体部１１２ａの室内側端部から室内方向に延設されたアングル部１１２ｂを有し、樹脂上枠本体部１１２ａの室内外両端の上方には、上枠本体部１１１ａの被係合部に係合する係合部が設けられている。
【００１３】
下枠１２は、図２に示すように、アルミ合金等の金属材料からなる金属下枠１２１と、金属下枠１２１の室内側端部に配置された樹脂材料からなる樹脂下枠１２２と、金属下枠１２１の室内側内周面に配置された樹脂材料からなる室内側カバー部材１２３と、金属下枠１２１の室外側内周面に配置されたアルミ合金等の金属材料からなる室外側カバー部材１２４を備えている。
【００１４】
下枠１２を構成する金属下枠１２１は、建物開口部の内周面に沿って配置される下枠取付部１２１ａと、下枠取付部１２１ａの上方に設けられた下枠中空部１２１ｂと、下枠中空部１２１ｂの室内側に連続して延設された下枠室内側部１２１ｃと、下枠中空部１２１ｂの室外側端部近傍から立設された室外壁部１２１ｄと、下枠中空部１２１ｂの室内側端部付近から立設された中央壁部１２１ｅと、下枠室内側部１２１ｃの室内側端に連設された室内壁部１２１ｆを有している。
【００１５】
室外壁部１２１ｄの上端には、上方に開口する係合溝部１２１ｇが下枠１２の長手方向に沿ってほぼ全長に亘って形成されている。また、中央壁部１２１ｅの上端には第１の気密材ｓ２が取付けられている。そして、室外壁部１２１ｄの上端と中央壁部１２１ｅに保持される気密材ｓ２の上面は、略同じ高さとなるように形成されており、室外壁部１２１ｄと中央壁部１２１ｅと下枠中空部１２１ｂの上面で、上方に開口する室外排水溝１２１ｈが形成されている。
【００１６】
下枠室内側部１２１ｃは、下枠１２の室内側の底壁を構成し、室外側から室内側に向かって段部が形成されている。
そして、下枠中空部１２１ｂの室内側壁と、中央壁部１２１ｅと、下枠室内側部１２１ｃと、室内壁部１２１ｆとで、上方に開口する室内排水溝１２１ｉが形成されている。金属下枠１２１の段部の上面には、室内側カバー部材１２３が配置されており、金属下枠１２１の中央壁部１２１ｅと室内側カバー部材１２３の室外側壁との間に、後述する内障子２の垂下片２２１ｃが挿入される排水孔１２１ｔ(図７)が形成されている。
【００１７】
樹脂下枠１２２は、金属下枠１２１の室内壁部１２１ｆに固定される固定部１２２ａと、固定部１２２ａの上端から室内方向に延設されたアングル部１２２ｂを有している。アングル部１２２ｂの上面は、中央壁部１２１ｅに保持された気密材ｓ２の上面と、略同じ高さとなるように形成されている。
【００１８】
室内側カバー部材１２３は、断面中空形状をなしており、下枠室内側部１２１ｃの段部の上面に設けられた被係合部に係合されて、金属下枠１２１に固定されている。
金属下枠１２１に固定された室内側カバー部材１２３の上面と、樹脂下枠１２２のアングル部１２２ｂの上面と、中央壁部１２１ｅの上端に取り付けられた気密材ｓ２の上面は、略同じ高さに形成されており、下枠１２の気密材ｓ２の上面から室内側は、略面一（フラット）に形成されている。
【００１９】
室外側カバー部材１２４は、室外排水溝１２１ｈの上面を覆う室外カバー板１２４ａを有しており、室外排水溝１２１ｈを覆うように取り付けられた室外側カバー部材１２４の上面と、中央壁部１２１ｅの上端に取り付けられた気密材ｓ２の上面は、略同じ高さに形成されている。また、室外カバー板１２４ａは、室外排水溝１２１ｈの上面を覆うとともに、室外壁部１２１ｄの上端の係合溝部１２１ｇを覆い、下枠１２の気密材ｓ２の上面から室外側は、略面一（フラット）に形成されている。
【００２０】
左、右縦枠１３，１４は、略同一の構成を備えているので、ここでは、主に、左縦枠１３を用いて説明する。
左縦枠１３は、アルミ合金等の金属材料からなる金属（左）縦枠１３１と、金属縦枠１３１の内周面に配置される樹脂材料からなる樹脂（左）縦枠１３２と、金属縦枠１３１の室内側端の内周面に配置される樹脂材料からなる室内樹脂（左）縦枠１３３と、左縦枠１３の下方領域において金属縦枠１３１及び樹脂縦枠１３２の内周に配置される金属カバー部材１３４を、有している。
【００２１】
金属縦枠１３１は、図３に示すように、建物開口部の内周面に沿って配置される縦枠本体部１３１ａと、縦枠本体部１３１ａの室内側端部に連設される室内壁部１３１ｂと、縦枠本体部１３１ａの室外側に形成される縦枠中空部１３１ｃと、縦枠中空部１３１ｃの室外側端より内周に延設される室外壁部１３１ｄを有している。
【００２２】
金属縦枠１３１の縦枠本体部１３１ａの室内側端部近傍に内周に突出部が形成されており、室内壁部１３１ｂと突出部とで室内樹脂縦枠１３３が係合する被係合部が形成されている。
縦枠中空部１３１ｃの室内側面には、樹脂縦枠１３２が係合される被係合部が形成されており、室外壁部１３１ｄの室内側面には、金属カバー部材１３４の室外側端部が係合される被係合部が形成されている。
【００２３】
樹脂（左）縦枠１３２は、複数の中空部を有する室外側中空部１３２ａと、室外側中空部１３２ａの外周部が室内方向に向かって延設された室内側枠部１３２ｂと、室内側枠部１３２ｂの室内側端から内周方向に向かって延設された室内壁部１３２ｃを有している。
樹脂（左）縦枠１３２は、室外側中空部１３２ａの室外側が縦枠中空部１３１ｃの室内側面に形成された被係合部に係合され、室内側枠部１３２ｂが金属縦枠１３１の縦枠本体部１３１ａにねじ止めされて、金属縦枠１３１に固定されている。
室外側中空部１３２ａの内周面には、金属カバー部材１３４が係止される被係止部が形成されている。
【００２４】
そして、樹脂縦枠１３２の室内側枠部１３２ｂと室外側中空部１３２ａの室内側面と室内壁部１３２ｃとによって、内周方向に開口する室内側溝部１３２ｄが形成されており、室内側溝部１３２ｄには、内障子２の下方両側から突出する回転軸８１が上下方向に案内されている。
【００２５】
室内樹脂縦枠１３３は、複数の中空部からなる室内壁部１３３ａと、室内壁部１３３ａの室内側面から室内方向に延設されたアングル部１３３ｂを有している。室内壁部１３３ａの外周端には、縦枠本体部１３１ａに係合する係合部が形成されているとともに、室内壁部１３３ａの室外側面には，樹脂縦枠１３２に係合する係合部が形成されている。
そして、室内壁部１３３ａの外周端の係合部が縦枠本体部１３１ａの室内側端部近傍に形成された被係合部に係合されるとともに、室内壁部１３３ａの室外側面の係合部が樹脂縦枠１３２の室内側溝部１３２ｄの内周端に係合されている。
【００２６】
樹脂縦枠１３２の室外側中空部１３２ａの室内側面と室内樹脂縦枠１３３の室内壁部１３２ｃの室外側面には、それぞれスライダ案内溝が形成されており、スライダ案内溝にスライダ８２が上下方向に移動自在にガイドされている。
なお、室内側溝部１３２ｄの上方領域は、回転軸８１が案内されないので、図３の右縦枠１４の部分に示されるように、スライダ案内部の外周側位置においてカバー部材１３５が取り付けられて覆われている。
【００２７】
金属カバー部材１３４は、室内側に中空部１３４ａを有する板状をなしており、金属縦枠１３の室外壁部１３１ｄの室内側面に形成された被係合部に係合されるとともに、樹脂縦枠１３２の内周面に形成された被係合部に係合されることで、縦枠１３の内障子２よりも室外側の内周面を覆うように配置される。
縦枠１３の室外側の内周面を覆うように配置された金属カバー部材１３４の中空部１３４ａの室内側面が、内障子２の縦框２３の室外側面に取り付けられたモヘア等の気密材ｍ１に当接する当接面として形成されている。
【００２８】
そして、内障子２は、回転軸８１及びスライダ８２，８２を左、右縦枠１３，１４内周の室内側溝部１３２ｄ，１４２ｄ及びスライダ案内溝に沿って上下スライドさせることにより、枠体１の下方位置の開口部を開閉することができると共に、回転軸８１，８１を中心にスライダ８２，８２等を含む周知の開閉機構により室内側に内倒して開閉することができる。
なお、内障子２の上下方向への開閉機構及び内倒し開閉機構については、特に限定されるものではない。
【００２９】
（内障子の構成）
内障子２について、図２，３を参考にして、説明する。
内障子２を構成する召合せ框２１は、図２に示すように、主に、金属召合せ框２１１と、金属召合せ框２１１の室内側面及び外周面を覆う樹脂召合せ框２１２とから構成されている。
金属召合せ框２１１は、ガラス等パネル２５の室外側外周に配置される中空部２１１ａと、中空部２１１ａの室外側端から内周方向に延設されガラス間口を構成するガラス間口部２１１ｂを有しており、室外側面に煙返しを形成する屈曲片が設けられている。
【００３０】
樹脂召合せ框２１２は、金属召合せ框２１１の室内側を覆う見込み方向に複数の中空部が積層されてなる室内側部２１２ａと、室内側部２１２ａの室内端で内周方向に延設してガラス間口を構成するガラス間口中空部２１２ｂと、室内側部２１２ａの室外側外周端から室外方向に延設され金属召合せ框２１１の外周面を覆う外周部２１２ｃを有している。
【００３１】
外周部２１２ｃの内周面には、金属召合せ框２１１の外周面に向かって隔壁が延設されており、外周部２１２ｃと金属召合せ框２１１とによって中空部が形成されている。
樹脂召合せ框２１２の外周部２１２ｃの室外側端面には、気密材ｓ５１が配置され、後述する外障子３の召合せ框３２の室内側面に当接している。
【００３２】
内障子２を構成する戸先（下）框２２は、図２に示すように、主に、金属戸先框２２１と、金属戸先框２２１の室内側面を覆う樹脂戸先框２２２とから構成されている。
金属戸先框２２１は、ガラス等パネルの室外側外周に配置される中空部２２１ａと、中空部２２１ａの室外側端から内周方向に延設されガラス間口を構成するガラス間口部２２１ｂと、中空部２２１ａから外周方向に向けて延設される垂下片２２１ｃを有している。
【００３３】
樹脂戸先框２２２は、金属戸先框２２１の中空部２２１ａの室内側面を覆う見込み方向に複数の中空部を有する室内側部２２２ａと、室内側部２２２ａの室内端で内周方向に延設してガラス間口を構成するガラス間口中空部２２２ｂを有している。
室内側部２２２ａを構成する複数の中空部は、金属戸先框２２１の室内側面から室内方向に行くに従ってその見込み方向寸法が小さくなっており、その下面は傾斜して形成されている。
【００３４】
内障子２を構成する左、右縦框２３，２４は、略同一の構成を備えているので、内障子２の左、右縦框２３，２４について、左縦框２３を用いて説明する。
左縦框２３は、図３に示すように、主に、左金属縦框２３１と左金属縦框２３１の室内側に配置される左樹脂縦框２３２とから構成されている。
左金属縦框２３１は、中空部２３１ａと、中空部２３１ａの室外側内周に延設されガラス間口を構成するガラス間口部２３１ｂを有している。また、中空部２３１ａの室外側面には、モヘア等の気密材ｍ１が長さ方向に沿って略全長に亘って配置されており、気密材ｍ１は、金属カバー部材１３４の中空部１３４ａの室内側面に当接している。
【００３５】
左樹脂縦框２３２は、左金属縦框２３１の室内側面を覆う室内側中空部２３２ａと、室内側中空部２３２ａの室内端部から内周側に延設されたガラス間口部２３２ｂを有している。
【００３６】
室内側中空部２３２ａは、見込み方向に複数の中空部が積層されてなり、略中間に積層されている中空部の外周には、モヘア等の気密材ｍ２が取付けられている。室内側中空部２３２ａに取り付けられた気密材ｍ２は、左縦枠１３の室内樹脂縦枠１３３の内周面に当接しており、室外側面に配置された気密材ｍ１と協働して二重の気密構造を形成している。
また、室内側に積層されている中空部の外周端は、左縦枠１３の室内樹脂縦枠１３３の内周端よりもさらに外周方向に延設され、室内樹脂縦枠１３３と室内外方向に重複している。
【００３７】
（外障子の構成）
外障子３を構成する召合せ框３２は、図２に示すように、主に、金属召合せ框３２１と金属召合せ框３２１の室内側に配置される樹脂召合せ框３２２を有している。
金属召合せ框３２１は、パネルの外周面を覆う中空形状をなす中空部３２１ａと、中空部３２１ａの室外側端から内周方向に延設されガラス間口を構成するガラス間口部３２１ｂと、中空部３２１ａの室内側の下端から室内方向に延設される気密材保持片３２１ｃを有している。
気密材保持片３２１ｃの室内側端面には、気密材ｓ５２が保持されて、内障子２の召合せ框２１の室外側面に当接している。
【００３８】
樹脂召合せ框３２２は、金属召合せ框３２１の室内側面を覆う室内側部３２２ａと、室内側部３２２ａの室内側から内周方向に延設してガラス間口を構成するガラス間口中空部３２２ｂを有しており、室内側面には、内障子２の召合せ框２１に設けた気密材ｓ５１が当接している。
【００３９】
外障子３を構成する戸先（上）框３１は、図２に示すように、主に、金属戸先框３１１と、金属戸先框３１１の室内側に配置される樹脂戸先框３１２とから構成されている。
金属戸先框３１１は、ガラス等パネル３５の室外側の外周面に配置される中空部３１１ａと、中空部３１１ａの室外側から内周方向に延設されガラス間口を構成するガラス間口部３１１ｂと、中空部３１１ａの室内側から外周方向に延設された当接片３１１ｃを有している。
中空部３１１ａの室外側面には上枠１１の金属上枠１１１の室外壁部１１１ｃの室内面に当接する気密材が配置されている。
【００４０】
樹脂戸先框３１２は、金属戸先框３１１の室内側面を覆う室内側中空部３１２ａと、室内側中空部３１２ａの室内側端から内周側に延設されたガラス間口部３１２ｂを有している。
【００４１】
外障子３の左、右縦框３３，３４は、略同一の構成を備えているので、外障子３の左、右縦框３３，３４について、図３に示される、右縦框３４を用いて説明する。
右縦框３４は、主に、右金属縦框３４１と右金属縦框３４１の室内側に配置される右樹脂縦框３４２とから構成されている。
右金属縦框３４１は、ガラス等パネルの室外側外周に配置される中空部３４１ａと、中空部３４１ａの室外側端から内周側に延設されたガラス間口部３４１ｂを有している。中空部３４１ａの室外側面には、気密材が長さ方向に沿って略全長に亘って配置され、右縦枠１４の右金属縦枠１４１の室外壁１４１ｄの室内側面に当接してＦＩＸ窓である外障子３の右縦枠１４に対する気密を行っている。
【００４２】
右樹脂縦框３４２は、右金属縦框３４１の室内側面を覆う中空部３４２ａと、中空部３４２ａの室内側端から内周側に延設されたガラス間口部３４２ｂを有している。
中空部３４２ａの外周には、右縦枠１４の右主樹脂縦枠１４２に当接する気密材が配置され、外障子３と右縦枠１４との間に二重の気密構造を形成している。
【００４３】
―下枠部分の構造−
本実施形態の特徴である下枠について、さらに詳細に説明する。
図４に示すように、下枠１２を構成する金属下枠１２１は、下枠取付部１２１ａの上方に設けられた下枠中空部１２１ｂの下面が、室内側から室外側に向かって下方に傾斜して形成されている。そして、下枠中空部１２１ｂの室外側の壁の下端位置には、見付け方向で複数の位置に屋外に連通する排出孔１２１ｎが形成されている。
【００４４】
また、下枠中空部１２１ｂの上壁は、室内、外方向に向かって若干延設されており、室内側に延設された上壁の室内側端から上方に向かって中央壁部１２１ｅが延設されるとともに、室外側に延設された上壁の室外端から上方に向かって室外壁部１２１ｄが延設されている。
そして、室内外に延設された下枠中空部１２１ｂの上壁と、中央壁部１２１ｅと、室外壁部１２１ｄとによって、上方に開口する室外排水溝１２１ｈが形成されており、下枠中空部１２１ｂの上壁の下枠中空部１２１ｂから室外側に延設された部位には、見付け方向で複数の位置に下方に貫通する排出孔１２１ｍが形成されている。
なお、室外排水溝１２１ｈを形成する中央壁部１２１ｅ及び室外壁部１２１ｄの内面には、室外側カバー部材１２４を係止するための、係止部１２１ｒ，１２１ｒが形成されている。
【００４５】
下枠中空部１２１ｂの上壁に形成された排出孔１２１ｍと下枠中空部１２１ｂの室外側の壁に形成された排出孔１２１ｎは、見付け方向に位置をずらして形成されており、下枠中空部１２１ｂの室外側の壁に形成された排出孔１２１ｎには、屋外からの水の侵入を防止する逆止弁６が取り付けられている。
これにより、上壁に形成された排出孔１２１ｍから落下する雨水等が下枠中空部の室外側の壁に形成された排出孔１２１ｎから侵入することを防ぐことができる。
【００４６】
下枠中空部１２１ｂの室内側に連設された下枠室内側部１２１ｃは、室内側に一段高い段部１２１ｐが形成されており、段部１２１ｐの上面には、室内側カバー部材１２３を係止する係止部１２１ｑ，１２１ｑが形成されている。
そして、下枠中空部１２１ｂの室内壁と、中央壁部１２１ｅと、下枠室内側部１２１ｃと、室内壁部１２１ｆとによって、上方に開口する室内排水溝１２１ｉが形成されており、下枠中空部１２１ｂの室内壁の見付け方向で複数の位置に下枠中空部１２１ｂに連通する連通孔１２１ｊが形成されている。
【００４７】
また、下枠１２は、室外壁部１２１ｄの上端に、後述するカウンタ５のカウンタ上面５１に形成された係合部を係合する係合溝部１２１ｇが形成されており、下枠取付部１２１ａの室外側には、カウンタのカウンタ下面に形成された嵌合凸部をはめ込む嵌合凹部１２１ｋが形成されている。
【００４８】
下枠１２を構成する室外側カバー部材１２４は、図５に示すように、室外排水溝１２１ｈの上面を覆う室外カバー板１２４ａと、室外カバー板１２４ａの見付け方向の両端部に取り付けられたスペーサ１２４ｂを有している。
【００４９】
室外カバー板１２４ａは、アルミ合金等の金属材料からなる平板状の部材であり、図５（ｃ）に示すように、長手方向に沿って両側の下面にホルダー溝部１２４ｃが形成されている。室外カバー板１２４ａのホルダー溝部１２４ｃにスペーサ１２４ｂの側面に形成された装着凸部等を挿入するなどして、室外カバー板１２４ａの両端にスペーサ１２４ｂが装着している。また、室外カバー板１２４ａの長手方向中間位置にも、スペーサ１２４ｂがホルダー溝部１２４ｃを介して固定されている。
【００５０】
スペーサ１２４ｂは、樹脂材料等からなるブロック状のスペーサ本体と、スペーサ本体の見込み方向で離れた位置の下面に下方に向かって延設された脚部１２４ｄ，１２４ｄを有している。
また、スペーサ１２４ｂは、見込み方向の寸法が、室外排水溝１２１ｈの見込み寸法とほぼ同一、もしくは若干小さくなるように形成されている。一方、室外カバー板１２４ａの見込み方向の寸法は、スペーサ１２４ｂに比べて大きく形成されており、室外カバー板１２４ａの室内側縁部がスペーサ１２４ｂの室内側端部に比べて室外側にずれるようにスペーサ１２４ｂが装着されている。
【００５１】
そして、図７に示すように、金属下枠１２１の室外排水溝１２１ｈに装着された室外側カバー部材１２４は、脚部１２４ｄ，１２４ｄが中央壁部１２１ｅ及び室外壁部１２１ｄの内面に形成された係止部１２１ｒ，１２１ｒに係止されて、室外カバー板１２４ａが室外排水溝１２１ｈの上面を覆うように配置される。このとき、スペーサ１２４ｂは、スペーサ１２４ｂの室内側端部が室外カバー板１２４ａの室内側縁部に比べて室内側にずれるように、室外カバー板１２４ａに装着されているので、スペーサ１２４ｂの室内側端部が中央壁部１２１ｅに当接させた状態で中央壁部１２１ｅと室外カバー板１２４ａの室内側縁部との間に、下枠１２の長手方向に沿って連続する隙間が形成されている。
さらに、スペーサ１２４ｂの室外側端部よりも室外側に突出する室外カバー板１２４ａの室外側部分が、室外壁部１２１ｄの上端に形成された係合溝部１２１ｇを覆っている。
【００５２】
室外側カバー部材１２４の室外カバー板１２４ａと中央壁部１２１ｅとの間に形成された隙間は、室外排水溝１２１ｈに連通する排水孔１２１ｓとして機能しており、内障子２の下框２２と下枠１２に取付けた気密材ｓ２の当接面によって形成される気密ラインの室外側の領域に、排水孔１２１ｓから室外排水溝１２１ｈを通って排出孔１２１ｍに至る気圧差のない第１の排水経路Ａが形成される。
以上の第１の排水経路Ａは、下枠１２と障子との間の気密ラインの室外側領域において、下枠の上面に排水孔１２１ｓが形成されており、室外に生じる雨水をすばやく室外排水溝１２１ｈに導くとともに、室外排水溝１２１ｈに導かれた雨水等は、気圧差等の抵抗を受けることなく、室外排水溝１２１ｈの室外側下面に形成された排出孔ｍから、排出されるので、障子と下枠との間の気密ラインの室外側において、雨水等が停滞することがなく、吹き込み等を生じることがない。
【００５３】
なお、長手方向中間に配置したスペーサ１２４ｂは必ずしも必要なものではないが、室外側カバー部材１２４の長手方向における変形を防止する上では好ましい。ただし、長手方向中間位置にスペーサ１２４ｂを配置した場合には、室外排水溝１２１ｈにおける排水の長手方向の移動を妨げないように、スペーサ１２４ｂは前後に離隔した脚部１２４ｄ，１２４ｄもしくはいずれか一方の脚部１２４ｄによって下枠１２に載置されることが好ましい。
【００５４】
下枠１２を構成する室内側カバー部材１２３は、樹脂材料からなり、図６に示すように、断面略矩形の中空形状の室内カバー本体１２３ａと、室内カバー本体１２３ａの下面に形成された係止爪部１２３ｂを有している。室内カバー本体１２３ａの室外側面には、軟質の樹脂部材等からなる半円ホロー形状の気密材１２３ｃが設けられており、室内カバー本体１２３ａの上面には、浅溝部１２３ｄが形成されている。
【００５５】
そして、図７に示すように、室内排水溝１２１ｉ内の金属下枠１２１の段部１２１ｐの上面に取付けられた室内側カバー部材１２３は、係止部１２１ｑに係止爪部１２３ｂが係止され、室内側カバー部材１２３の上面の高さが樹脂下枠１２２の上面高さ及び気密材ｓ２の高さと略同一となるように配置され、樹脂下枠１２２のアングル部１２２ｂから気密材ｓ２に至る下枠の室内側の上面を略面一に形成している。
【００５６】
そして、室内排水溝１２１ｉ内に室内側カバー部材１２３が取り付けられることで、中央壁部１２１ｅと室内側カバー部材１２３の室外側面との間に障子の下框の垂下片２２１ｃが挿入される排水孔１２１ｔが形成される。
排水孔１２１ｔには、室内カバー本体１２３ａの室外側面に取り付けられた気密材１２３ｃが配置されており、内障子２の閉鎖時に、内障子２の下框２２の垂下片２２１ｃが気密材１２３ｃと当接して、気密ラインが形成される。
すなわち、下枠１２と内障子２の下框２２との間には、下枠の中央壁部１２１ｅの上面に配置された気密材ｓ２と下框の下面との上下方向の当接による第１の気密ラインと、下枠１２の室内側カバー部材１２３に取付けられた気密材１２３ｃと垂下片２２１ｃの室内側面との見込み方向の当接による第２の気密ラインが形成されている。
【００５７】
そして、下枠１２は、障子と枠との第１の気密ラインよりも室内側の領域に進入した水を、排水孔１２１ｔによって受け入れて室内排水溝１２１ｉに導くとともに、室内排水溝１２１ｉから連通孔１２１ｊを介して下枠中空部１２１ｂの内部に導き、逆止弁６を備えた排出孔１２１ｎから気密ラインよりも室外側の領域に排水する第２の排水経路Ｂを形成している。
なお、室内側カバー部材１２３の上面の浅溝部１２３ｄの底面の適宜位置には、室内側カバー部材１２３の内部に連通する排水孔が形成されており、室内側カバー部材１２３には、排水孔を介して室内側カバー部材１２３の内部空間を室内排水溝１２１ｉに連通する排水孔が形成されている。
【００５８】
また、本実施形態のサッシは、下枠１２の室外側にテーブル等のカウンタを取り付けることができる。
カウンタ５は、アルミ合金等の金属材料からなり、図７に示すように、略水平面を形成するカウンタ上面５１と、室内側に向かって下方に傾斜するカウンタ下面５２と、カウンタ上面５１とカウンタ下面５２とを室外側で連結する垂直面５３とを有している。
カウンタ上面５１の室内側端部は、下方に略Ｌ字状に屈曲してなる上部取付部５１ａが形成されている。一方、カウンタ下面５２の室内側は、上方に凸の嵌合凸部５２ａが形成されているとともに、嵌合凸部５２ａよりも室内側にビス等を固定するための固定片５２ｂを有している。
【００５９】
そして、下枠１２にカウンタ５を取り付ける際には、下枠１２の室外壁部１２１ｄの上端に設けられた係合溝部１２１ｇにカウンタ上面５１の上部取付部５１ａを配置し、該上部取付部５１ａを中心にしてカウンタ下面５２を下枠１２の下面に近づけることで、カウンタ下面５２の嵌合凸部５２ａを下枠１２の嵌合凹部１２１ｋに挿入する。それによって、カウンタ５を下枠１２に仮固定することができる。
その後、下枠１２に仮固定されたカウンタ５の上部取付部５１ａを下枠１２の係合溝部１２１ｇにネジ止めすると共に、カウンタ下面５２の固定片５２ｂを下枠取付部１２１ａの下面にネジ止め固定することで、下枠１２の室外側にカウンタ５を取り付けることができる。
このように、本実施形態においては、下枠１２の室外側にカウンタ５を簡単に取付けることができ、その取付けは、下枠１２にカウンタ５を仮固定させた状態でのネジ止めによって行うことができるので、ネジ止め時に複数の作業者によってカウンタを支持する必要がなく、施工を容易にすることができる。
【００６０】
そして、下枠１２の室外側に取り付けられたカウンタ５のカウンタ上面５１は、室外側カバー部材１２４の上面と略同一高さに形成されており、サッシの下枠１２の上面に連続したテーブルを形成することができる。
さらに、カウンタ５の上部取付部５１ａがねじ止め固定された下枠１２の係合溝部１２１ｇは、室外排水溝１２１ｈを覆うように配置された室外側カバー部材１２４の室外カバー板１２４ａによって覆われるので、下枠１２は、室内側の顎部からカウンタに至るまで見込み方向の全域にわたって、略面一に形成されている。
【００６１】
以上のように、本実施形態においては、上面が略フラットな下枠に上げ下げ障子を降下させて、下枠の上面に配置した気密材に下框の下面を当接することで、第１の気密ラインを形成しており、第１の気密ラインの室外側において発生する雨水等排水は、第１の気密ラインの室外側領域に形成される第１の排水経路を介して排水している。
また、第１の気密ラインの室内側において発生する排水は、気密ラインの室内側領域から室外側領域に続く第１の排水経路とは完全に独立した第２の排水経路を介して排水している。
そして、室外側領域に形成される第１の排水経路へ続く排水孔は、下枠の上面に長手方向に沿って広い範囲に形成されている。
したがって、気密ラインの室外側領域の雨水等排水を、気密ラインに至る前に下框と気密材の当接面の近傍に滞留させることなく、素早く排水することができ、室内への侵入を防ぐことができるとともに、建具の室外側の雨水が室内側排水経路に影響を与えることなく、第２の排水経路の負荷を抑制し、効率的な排水構造を実現できる。
【００６２】
また、障子と下枠との第１の気密ラインの室内側に、下框の垂下片２２１ｃが挿入可能な排水孔を下枠上面に形成するとともに、排水孔の側面には、室内樹脂カバーに取り付けられためくれ上がることがない半円ホロー形状の軟質の気密材が配置されて垂下片２２１ｃの側面に当接させて第２の気密ラインを形成しているので、第１の気密ラインを超えて進入した雨水等を垂下片２２１ｃによって室内側溝に導くことができるとともに、それ以上室内側に侵入することを防ぐことができる。
【００６３】
さらに、第１の気密ラインを形成する下框の下面と気密材の当接方向を上下方向とし、第２の気密ラインを形成する垂下片２２１ｃと第２止水材との当接方向を見込み方向とすることで、上下方向と内外方向の異なる二方向の当接による二つの気密ラインを形成しているので、障子の下框が上下内外のいずれか一方にずれる誤差が発生したとしても、必ずいずれかの気密ラインを維持することができ、多少の誤差が発生した場合でも、所定の止水性能を維持することができる。
【００６４】
さらに、障子と下枠との気密ラインの室内側に配置した室内樹脂カバーの上面に浅溝部を形成しているので、垂下片２２１ｃを越えて乗り上げてきた雨水を浅溝部で受け止めるとともに、浅溝部の底面に穿設した排水孔から、下枠内部の室内排水領域に落下させ、そして、排水孔から室内流入領域に流下してきた水と合流させて、逆止弁を経由して屋外に排出させることができ、雨水の室内への侵入をより確実に防止することができる。
【００６５】
また、第１の排水経路及び第２の排水経路を構成する室内排水溝及び室外排水溝を、取り外し可能である室外側カバー部材や室内側カバー部材により覆って形成しているので、下枠上面を略フラットにすることができるとともに、異物が進入しやすい室内外排水溝内を容易に開放でき、清掃性を向上できる。
【００６６】
さらに、下枠の室外側にテーブルなどのカウンタを固定することができ、かつ、下枠に固定したカウンタは、面一に形成した下枠上面と略面一に取付けているので、下枠上面を、室内側からカウンタの室外側端に至るまで面一に形成することができ、使い勝手にすぐれた開口部を形成することができる。
また、カウンタを固定するための固定部は、室外カバー部材の室外端部によって覆われているので、部品点数を増やすことなく、カウンタの取付如何にかかわらずカウンタの固定部を隠すことができ、腐食を防ぐと共に意匠性を向上させることができる。
【００６７】
なお、第１排水経路及び第２排水経路の各排水孔を設ける位置は何ら限定されるものではないが、下枠の長手方向で異なる位置に、室外流入領域の排出孔と、室内流入領域の逆止弁を備えた排出孔を配置することで、室外流入領域の排水が下枠の長手方向に飛散したとしても、より確実に逆止弁の開閉動作に不具合を起こすことを抑制でき、高い排水性能を維持できて好ましい。
なお、本実施形態においては、サッシとして上げ下げ窓を用いて説明したが、本発明が採用されるサッシは、上げ下げ窓に限定されるものではなく、また、枠体と障子との気密ラインの構成等についても、何ら限定されるものではない。
【符号の説明】
【００６８】
１        ：枠体
１１      ：上枠
１２      ：下枠
１２１    ：金属下枠
１２１ａ  ：下枠取付部
１２１ｂ  ：下枠中空部
１２１ｃ  ：下枠室内側部
１２１ｄ  ：室外壁部
１２１ｅ  ：中央壁部
１２１ｆ  ：室内壁部
１２１ｇ  ：係合溝部（取付部）
１２１ｈ  ：室外排水溝
１２１ｉ  ：室内排水溝
１２１ｊ  ：排水孔
１２１ｋ  ：嵌合凹部
１２１ｍ  ：排出孔
１２１ｎ  ：排出孔
１２１ｐ  ：段部
１２１ｑ  ：係止部
１２１ｒ  ：係止部
１２１ｓ  ：排水孔
１２１ｔ  ：排水孔
１２２    ：樹脂下枠
１２２ａ  ：固定部
１２２ｂ  ：アングル部
１２３    ：室内側カバー部材
１２３ａ  ：室内カバー本体
１２３ｂ  ：係止爪部
１２３ｃ  ：気密材
１２３ｄ  ：浅溝部
１２４    ：室外側カバー部材
１２４ａ  ：室外カバー板
１２４ｂ  ：スペーサ
１２４ｃ  ：ホルダー溝部
１２４ｄ  ：脚部
１３      ：左縦枠
１４      ：右縦枠
２        ：内障子
２２１    ：金属戸先框
２２１ａ  ：中空部
２２１ｂ  ：ガラス間口部
２２１ｃ  ：垂下片
３        ：外障子
５        ：カウンタ
５１      ：カウンタ上面
５１ａ    ：上部取付部
５２      ：カウンタ下面
５２ａ    ：嵌合凸部
５２ｂ    ：固定片
５３      ：垂直面
６        ：逆止弁
Ａ        ：第１の排水経路
Ｂ        ：第２の排水経路
【図１】
2019035236.tif 000003
【図２】
2019035236.tif 000004
【図３】
2019035236.tif 000005
【図４】
2019035236.tif 000006
【図５】
2019035236.tif 000007
【図６】
2019035236.tif 000008
【図７】
2019035236.tif 000009